(57)【要約】【課題】  設定に応じて区分ごとに丁合する丁合装置において、複数の区分の設定状況を容易に確認する。【解決手段】  複数の給紙トレイに積載された用紙を１枚ずつ給紙して重ね合わせることにより丁合する丁合装置において、部数欄５４は、複数の地区の各々の丁合部数のユーザによる入力を受け付ける。スタートボタンは、ユーザによる丁合開始の指示を受け付ける。順番欄５６は、複数の地区において丁合する順番のユーザによる指定を受け付ける。電子制御ユニットは、ユーザにより丁合開始が指示された場合に、丁合が完了していない地区であって丁合部数が入力され且つ順番が指定された地区のうち指定された順番が最初の地区の丁合を開始し、その地区に入力された丁合部数の丁合が完了すると丁合を停止する地区毎丁合処理を実行する。電子制御ユニットは、操作パネル１３に複数の地区の各々の地区名、丁合部数、および順番を表示する。【選択図】  図１１
2007070087.tif 000002
【特許請求の範囲】
【請求項１】
複数の給紙トレイに積載された用紙を１枚ずつ給紙して重ね合わせることにより丁合する丁合装置において、
複数の区分の各々の丁合部数のユーザによる入力を受け付ける部数入力手段と、
ユーザによる丁合開始の指示を受け付ける開始入力手段と、
ユーザにより丁合開始が指示された場合に、丁合が完了していない区分であって丁合部数が入力された区分のうち１つの区分の丁合を開始し、その区分に入力された丁合部数の丁合が完了すると丁合を停止する処理を実行する制御手段と、
複数の区分の区分名および丁合部数を表示する表示手段と、
を備えることを特徴とする丁合装置。
【請求項２】
ユーザによる区分を追加する入力を受け付ける区分入力手段をさらに備えることを特徴とする請求項１に記載の丁合装置。
【請求項３】
ユーザによる区分名の入力を受け付ける区分名入力手段をさらに備えることを特徴とする請求項１または２に記載の丁合装置。
【請求項４】
複数の区分において丁合する順番のユーザによる指定を受け付ける順番指定手段をさらに備え、
前記制御手段は、ユーザにより丁合開始が指示された場合に、丁合が完了していない区分であって丁合部数が入力され且つ順番が指定された区分のうち指定された順番が最初の区分の丁合を開始し、その区分に入力された丁合部数の丁合が完了すると丁合を停止する処理を実行することを特徴とする請求項１から３のいずれかに記載の丁合装置。
【請求項５】
前記表示手段は、複数の区分の各々の区分名、丁合部数、および指定された順番を表示することを特徴とする請求項４に記載の丁合装置。
【請求項６】
複数の区分の各々の区分名および丁合部数を、指定された順番にしたがって並べ替えて表示するユーザによる指示を受け付ける順番順表示指示手段をさらに備え、
前記表示手段は、指定された順番にしたがって表示するようユーザから指示された場合に、複数の区分の各々の区分名および丁合部数を指定された順番にしたがって表示することを特徴とする請求項５に記載の丁合装置。
【請求項７】
複数の区分の各々の区分名および丁合部数を、区分名にしたがって並べ替えて表示するユーザによる指示を受け付ける区分名順表示指示手段をさらに備え、
前記表示手段は、区分名にしたがって表示するようユーザから指示された場合に、複数の区分の各々の区分名および丁合部数を区分名にしたがって表示することを特徴とする請求項６に記載の丁合装置。
【請求項８】
前記表示手段は、丁合が完了した区分と丁合が完了していない区分とを識別可能に表示することを特徴とする請求項１から７のいずれかに記載の丁合装置。
【請求項９】
前記表示手段は、丁合の開始後且つ丁合部数の丁合の完了前の区分とそれ以外の区分とを識別可能に表示することを特徴とする請求項１から８のいずれかに記載の丁合装置。
【請求項１０】
複数の区分の区分名および丁合部数を含むタスク情報を複数格納するタスク記憶手段と、
前記格納されたタスク情報のユーザによる選択を受け付けるタスク選択手段と、
をさらに備え、
ユーザによりタスク情報が選択された場合、前記表示手段は、前記選択されたタスク情報に含まれる複数の区分の区分名および丁合部数を表示し、前記制御手段は、複数の区分に前記選択されたタスク情報に含まれる丁合部数を複数の区分の各々の丁合部数として設定し、ユーザにより丁合開始が指示された場合に、丁合が完了していない区分であって丁合部数が設定された区分のうち１つの区分の丁合を開始し、その区分に設定された丁合部数の丁合が完了すると丁合を停止する処理を実行することを特徴とする請求項１から９のいずれかに記載の丁合装置。
【請求項１１】
ユーザによる区分の選択を受け付ける区分選択手段をさらに備え、
前記制御手段は、ユーザにより丁合開始が指示された場合に、丁合が完了していない区分であって選択され且つ丁合部数が入力された複数の区分のうち１つの区分の丁合を開始し、その区分に入力された丁合部数の丁合が完了すると丁合を停止する処理を実行することを特徴とする請求項１から１０のいずれかに記載の丁合装置。
【請求項１２】
ユーザによる丁合部数の入力を受け付ける部数入力手段と、入力された丁合部数を外部に転送する転送手段と、を有する入力手段と、
複数の給紙トレイに積載された用紙を１枚ずつ給紙して重ね合わせることにより丁合する丁合装置であって、転送された丁合部数を複数の区分の各々の丁合部数として設定する設定手段と、ユーザにより丁合開始が指示された場合に、丁合が完了していない区分であって丁合部数が設定された区分のうち１つの区分の丁合を開始し、その区分に入力された丁合部数の丁合が完了すると丁合を停止する処理を実行する制御手段と、複数の区分の区分名および丁合部数を表示する表示手段と、を有する丁合装置と、
を備えることを特徴とする丁合システム。
【発明の詳細な説明】
【技術分野】
【０００１】
本発明は、丁合装置および丁合システムに関し、特に複数の給紙トレイに積載された用紙を１枚ずつ給紙して重ね合わせることにより丁合する丁合装置および丁合システムに関する。
【背景技術】
【０００２】
新聞には、多くの場合複数種類の広告が折り込まれて配布先に配布される。このため、新聞の広告は、複数種類の広告を重ね合わせて丁合する必要がある。このように、新聞の広告などの印刷済用紙を丁合して用紙束を作成する場合に、丁合装置が多く用いられる。一方、新聞の広告は地区ごとに配達部数が異なるなど、異なる部数の用紙束を複数セット用意する必要が生じる場合がある。このため、たとえば特許文献１では、複数の広告を丁合すべき一連の地区とその地区に配達する部数を入力する手段を有する丁合装置が提案されている。
【特許文献１】特開平１−９８５５９号公報
【発明の開示】
【発明が解決しようとする課題】
【０００３】
しかし、特許文献１に記載された丁合装置のように一つの地区の地区名と地区部数を表示するだけでは、他の地区の地区部数を容易に確認することはできない。
【０００４】
そこで、本発明は、上述の事情を鑑みてなされたものであり、設定に応じて区分ごとに丁合する丁合装置において、複数の区分の設定状況を容易に確認することを目的とする。
【課題を解決するための手段】
【０００５】
上記課題を解決するために、本発明のある態様の丁合装置は、複数の給紙トレイに積載された用紙を１枚ずつ給紙して重ね合わせることにより丁合する丁合装置において、複数の区分の各々の丁合部数のユーザによる入力を受け付ける部数入力手段と、ユーザによる丁合開始の指示を受け付ける開始入力手段と、ユーザにより丁合開始が指示された場合に、丁合が完了していない区分であって丁合部数が入力された区分のうち１つの区分の丁合を開始し、その区分に入力された丁合部数の丁合が完了すると丁合を停止する処理を実行する制御手段と、複数の区分の区分名および丁合部数を表示する表示手段と、を備える。この態様によれば、ユーザは、複数の区分の区分名および丁合部数を容易に確認することができる。
【０００６】
本態様の丁合装置は、ユーザによる区分を追加する入力を受け付ける区分入力手段をさらに備えてもよい。この態様によれば、ユーザ自身によって区分を追加することができるため、ユーザによる多様な丁合の設定が可能となる。
【０００７】
本態様の丁合装置は、ユーザによる区分名の入力を受け付ける区分名入力手段をさらに備えてもよい。この態様によれば、ユーザ自身によって区分名を入力することができるため、ユーザによる多様な丁合の設定が可能となる。
【０００８】
複数の区分において丁合する順番のユーザによる指定を受け付ける順番指定手段をさらに備えてもよい。制御手段は、ユーザにより丁合開始が指示された場合に、丁合が完了していない区分であって丁合部数が入力され且つ順番が指定された区分のうち指定された順番が最初の区分の丁合を開始し、その区分に入力された丁合部数の丁合が完了すると丁合を停止する処理を実行してもよい。この態様によれば、ユーザが丁合をしたい順序にしたがって区分ごとに丁合することが可能となる。
【０００９】
表示手段は、複数の区分の各々の区分名、丁合部数、および指定された順番を表示してもよい。この態様によれば、ユーザは、複数の区分の区分名、丁合部数、および指定された順番を容易に確認することができる。
【００１０】
複数の区分の各々の区分名および丁合部数を、指定された順番にしたがって並べ替えて表示するユーザによる指示を受け付ける順番順表示指示手段をさらに備えてもよい。表示手段は、指定された順番にしたがって表示するようユーザから指示された場合に、複数の区分の各々の区分名および丁合部数を指定された順番にしたがって表示してもよい。この態様によれば、ユーザは自己の要望に応じて指定された順番にしたがって区分名および丁合部数を並べ替えることができる。
【００１１】
複数の区分の各々の区分名および丁合部数を、区分名にしたがって並べ替えて表示するユーザによる指示を受け付ける区分名順表示指示手段をさらに備えてもよい。表示手段は、区分名にしたがって表示するようユーザから指示された場合に、複数の区分の各々の区分名および丁合部数を区分名にしたがって表示してもよい。この態様によれば、ユーザは自己の要望に応じて区分名にしたがって区分名および丁合部数を並べ替えることができる。
【００１２】
表示手段は、丁合が完了した区分と丁合が完了していない区分とを識別可能に表示してもよい。この態様によれば、ユーザは、丁合が完了した区分と完了していない区分とを容易に把握することができる。
【００１３】
表示手段は、丁合の開始後且つ丁合部数の丁合の完了前の区分とそれ以外の区分とを識別可能に表示してもよい。この態様によれば、ユーザは現在どの区分の丁合をしているのかを容易に把握することができる。
【００１４】
複数の区分の区分名および丁合部数を含むタスク情報を複数格納するタスク記憶手段と、格納されたタスク情報のユーザによる選択を受け付けるタスク選択手段と、をさらに備えてもよい。ユーザによりタスク情報が選択された場合、表示手段は、選択されたタスク情報に含まれる複数の区分の区分名および丁合部数を表示し、制御手段は、複数の区分に選択されたタスク情報に含まれる丁合部数を複数の区分の各々の丁合部数として設定し、ユーザにより丁合開始が指示された場合に、丁合が完了していない区分であって丁合部数が設定された区分のうち１つの区分の丁合を開始し、その区分に設定された丁合部数の丁合が完了すると丁合を停止する処理を実行してもよい。この態様によれば、以前に丁合したときの設定と同様に丁合装置を設定する場合に、新たに以前に丁合したときと同様に丁合装置を設定し直す必要がなくなり、ユーザの労力を軽減することができる。
【００１５】
ユーザによる区分の選択を受け付ける区分選択手段をさらに備えてもよい。制御手段は、ユーザにより丁合開始が指示された場合に、丁合が完了していない区分であって選択され且つ丁合部数が入力された複数の区分のうち１つの区分の丁合を開始し、その区分に入力された丁合部数の丁合が完了すると丁合を停止する処理を実行してもよい。
【００１６】
本発明の別の態様は、丁合システムである。この丁合システムは、ユーザによる丁合部数の入力を受け付ける部数入力手段と、入力された丁合部数を外部に転送する転送手段と、を有する入力手段と、複数の給紙トレイに積載された用紙を１枚ずつ給紙して重ね合わせることにより丁合する丁合装置であって、転送された丁合部数を複数の区分の各々の丁合部数として設定する設定手段と、ユーザにより丁合開始が指示された場合に、丁合が完了していない区分であって丁合部数が設定された区分のうち１つの区分の丁合を開始し、その区分に入力された丁合部数の丁合が完了すると丁合を停止する処理を実行する制御手段と、複数の区分の区分名および丁合部数を表示する表示手段と、を有する丁合装置と、を備える。この態様によれば、丁合しない区分の丁合部数をゼロに設定するなどの必要がないため、ユーザの労力を軽減することができる。この態様によれば、入力手段によって入力した丁合部数を、丁合装置において丁合する丁合部数とすることができる。このため、丁合部数を容易に入力することができ、または新たに丁合装置に丁合部数を入力するユーザの労力を軽減することができる。
【発明の効果】
【００１７】
本発明によれば、設定に応じて区分ごとに丁合する丁合装置において、複数の区分の設定状況を容易に確認することができる。
【発明を実施するための最良の形態】
【００１８】
以下、図面を参照して本発明の実施の形態（以下、実施形態という）について詳細に説明する。
【００１９】
（第１の実施形態）
図１は、第１の実施形態に係る丁合装置１の全体構成図である。本図下方に示す矢印方向が装置前方として以下説明する。丁合装置１は、装置本体１２、および後述する電子制御ユニットなどを有する。装置本体１２は、フロントユニット２、リアユニット３、第１左給紙部７Ａ及至第１０左給紙部７Ｊ（以下、必要に応じてこれらを総称して「左給紙部７」という。）、第１右給紙部８Ａ及至第１０右給紙部８Ｊ（以下、必要に応じてこれらを総称して「右給紙部８」という。）、折り紙用給紙装置６、排出トレイ５、などを有する。
【００２０】
フロントユニット２は奥行き方向の長さが短く、上下方向の長さが長い略直方体形状に形成され、装置本体１２の前方に配置される。フロントユニット２の前面側には、ユーザによって視認しやすい高さに操作パネル１３が設けられている。操作パネル１３は入出力可能なタッチパネル方式のディスプレイにより構成される。操作パネル１３には液晶表示画面が設けられる。この液晶画面には丁合するための設定を行う画面など、様々な内容が表示されることから、操作パネル１３は表示手段として機能する。また、液晶表示画面の前面は透明なタッチセンサで覆われている。ユーザはこのタッチセンサをタッチすることにより、丁合装置１に様々な入力を行うことができる。したがって、操作パネル１３は、ユーザが丁合装置１に入力を行う入力手段としても機能する。操作パネル１３の下方には、スタートボタン１４およびストップボタン１５が設けられている。フロントユニット２の左側面の下側には、サイドフレーム９が設けられている。
【００２１】
ユーザによりスタートボタン１４が押されると、丁合装置１は丁合を開始する。したがって、スタートボタン１４は、ユーザによる丁合開始の指示を受け付ける開始入力手段として機能する。また丁合装置１が丁合しているときにユーザによりストップボタン１５が押されると、丁合装置１は丁合を停止する。したがって、ストップボタン１５は、ユーザによる丁合停止の指示を受け付ける停止入力手段として機能する。
【００２２】
リアユニット３もフロントユニット２と略同一の形状に形成され、装置本体１２の後方に配置される。フロントユニット２および３は、相互に間隔をもって対向するように、ベースフレーム４の上に固定される。フロントユニット２とリアユニット３の間に、左給紙部７および右給紙部８が挟まれるように配置される。第１左給紙部７Ａ及至第１０左給紙部７Ｊは上下方向に略等間隔に下から順に配置され、装置本体１２の左側に各々の給紙トレイが突出するように配置される。第１右給紙部８Ａ及至第１０右給紙部８Ｊも上下方向に略等間隔に下から順に配置され、装置本体１２の右側に各々の給紙トレイが突出するように配置される。
【００２３】
左給紙部７のうち一番下に配置される第１左給紙部７Ａの下方には、折り紙用給紙装置６が配置される。折り紙用給紙装置６は装置左側に突出した折り紙用給紙トレイ１０を有している。折り紙用給紙装置６のさらに下方には、排出トレイ５が配置される。
【００２４】
図２は、第１の実施形態に係る丁合装置１の断面図である。本図は、フロントユニット２から後方の丁合装置１の構成を前方から見た図である。
【００２５】
左給紙部７と右給紙部８の間には、用紙束搬送路２０が装置本体１２の上下方向略全長にわたって形成されている。左給紙部７および右給紙部８は、それぞれ給紙トレイ１６および用紙搬送部１９を有している。１０個の左給紙部７と右給紙部８は、それぞれ１つずつが、その用紙搬送部１９が用紙束搬送路２０を挟んで対向し、給紙トレイ１６が外側に向かうように配置される。
【００２６】
用紙搬送部１９には、給紙ローラ１７および分離ローラ１８が含まれる。給紙トレイ１６に積載された広告などの用紙は、給紙ローラ１７によって装置本体１２内に送り出され、分離ローラ１８および対向する分離パッドによって分離される。これによって、用紙搬送部１９は、給紙トレイ１６に積載された用紙を一枚ずつ用紙束搬送路２０に送り出す。
【００２７】
用紙束搬送路２０には、用紙束搬送路２０を挟んで対向する用紙束搬送ローラ２１が、１０箇所で対向する左給紙部７および右給紙部８に対応して１０対設けられている。用紙搬送部１９によって給紙トレイ１６から送り出された用紙は、用紙束搬送ローラ２１によって下方に搬送されながら重ね合わされ、用紙束が形成される。
【００２８】
用紙束搬送路２０の下方端部から右側には、折り板２２が設けられている。折り板２２は、上下方向に相互に対向する２枚のプレートにより構成され、略水平に設けられる。折り板２２の左側端部は用紙束搬送路２０の下方端部近傍に配置され、用紙束を対向するプレート内に搬送するように誘導するために拡開したガイド部が形成されている。折り板２２には、左右方向に移動可能なストッパ２３が設けられている。
【００２９】
用紙束搬送路２０によって下方に搬送されながら形成された用紙束は、そのまま、または折り紙用給紙装置６の折り紙用給紙トレイ１０から搬送された用紙とともに、用紙束搬送路２０の下方端部から折り板２２の上下のプレートの間に搬送される。さらに用紙束が搬送されると、用紙束の先端がストッパ２３により係止される。用紙束の先端がストッパ２３により係止された後も、用紙束搬送路２０の最下部の用紙束搬送ローラ２１によって用紙束の搬送が継続されるため、用紙束の略中央が下方に撓む。用紙束搬送路２０の下端部の下方には折りローラ２５が設けられており、用紙束は撓んだ略中央が折りローラ２５によって折り込まれながら下方に搬送される。
【００３０】
折りローラ２５の下方には、折りローラ２５から左方向に水平に延在する搬送ベルト２６が設けられている。搬送ベルト２６は、一方が駆動され他方が従動される一対のローラによって駆動される。折りローラ２５によって略中央が折り込まれた用紙束は、搬送ベルト２６に載置された状態で装置左側へと搬送され、搬送ベルト２６の左端部近傍に設けられた排出ローラ２７から装置本体１２の左側下方に設けられた排出トレイ５に排出される。このように、丁合装置１は、給紙トレイ１６に積載された用紙を１枚ずつ給紙して重ね合わせることによって用紙束を形成して丁合する。
【００３１】
丁合装置１には電子制御ユニット１５０が設けられている。電子制御ユニット１５０は、給紙ローラ１７、分離ローラ１８、用紙束搬送ローラ２１、折りローラ２５、搬送ベルト２６、排出ローラ２７などに接続されれるモータ、電磁ブレーキ、または電磁クラッチと接続されている。電子制御ユニット１５０は、これらに動作信号を入力するなどによって、これらの回転や停止を制御する。
【００３２】
図３は、第１の実施形態に係る電子制御ユニット１５０の機能ブロック図である。電子制御ユニット１５０は、制御部１５２および記憶部１６０を有している。制御部１５２は、演算ユニット１５４、ＲＯＭ１５６、ＲＡＭ１５８を含む。演算ユニット１５４には、ＣＰＵなどが含まれ、様々な演算やプログラムを実行する。ＲＯＭ１５６には各種のプログラムやデータが格納される。ＲＡＭ１５８は、ユーザにより入力された数値などを一時的に格納する。記憶部１６０は、フラッシュメモリまたはハードディスクなどにより構成され、電子制御ユニット１５０の電源供給が停止しても記憶内容を保持する。
【００３３】
操作パネル１３はタッチセンサ１３ａおよび液晶表示画面１３ｂを有している。タッチセンサ１３ａおよび液晶表示画面１３ｂは、電子制御ユニット１５０に接続されている。丁合装置１の電源がオンにされると、電子制御ユニット１５０は、液晶表示画面１３ｂに後述するメイン画面を表示する。電子制御ユニット１５０は、タッチセンサ１３ａの検出結果から、操作パネル１３の画面上でユーザがタッチした座標を検出する。電子制御ユニット１５０は、検出された座標からユーザがどのような操作をしたのかを判断する。電子制御ユニット１５０は、ユーザの操作に応じて、液晶表示画面１３ｂに表示している表示内容を変更し、ユーザが入力した数字やアルファベットなどをＲＡＭ１５８に格納する。たとえば、ユーザが操作パネル１３をタッチして丁合部数などを入力した場合、電子制御ユニット１５０は、入力された丁合部数などを液晶表示画面１３ｂに表示し、ＲＡＭ１５８に格納する。このように、電子制御ユニット１５０は、操作パネル１３の液晶表示画面１３ｂへ表示する内容を制御する表示制御手段として機能する。
【００３４】
電子制御ユニット１５０は、スタートボタン１４およびストップボタン１５に接続されている。また、電子制御ユニット１５０は、装置本体１２のモータ、電磁ブレーキ、または電磁クラッチなどに接続されている。ユーザによりスタートボタン１４が押されると、電子制御ユニット１５０は、装置本体１２のモータ、電磁ブレーキ、または電磁クラッチなどに駆動信号などを入力して丁合を開始し、ユーザにより入力された丁合部数に達すると丁合を停止する。このように、電子制御ユニット１５０は、装置本体１２の丁合動作を制御する丁合制御手段としても機能する。ユーザは、丁合の途中においても、ストップボタン１５を押すことにより丁合を一時停止させることができ、再びスタートボタン１４を押すことにより丁合を再開させることができる。
【００３５】
図４は、第１の実施形態の操作パネル１３に表示されるメイン画面１００を示す図である。メイン画面１００は、丁合装置１に電源が投入されたときに最初に操作パネル１３に表示される。メイン画面１００は、地区名欄３２、地区部数欄３４、カウンター３６、トータルカウンター３８、テンキー４４、クリアボタン４６、次地区ボタン４０、前地区ボタン４２などを有している。
【００３６】
地区名欄３２には設定入力中、または丁合中の地区の地区名が表示される。地区名欄３２に表示する地区名は、次地区ボタン４０または前地区ボタン４２をタッチすることによって変更することができる。次地区ボタン４０をタッチすることによって、地区名欄３２に表示された地区名に対して、地区名を昇順とした場合の次の順番の地区名が地区名欄３２に表示される。また前地区ボタン４２をタッチすることによって、地区名欄３２に表示された地区名に対して、地区名を昇順とした場合の前の順番の地区名が地区名欄３２に表示される。
【００３７】
地区部数欄３４には、地区名欄３２に地区名が表示された地区において丁合する丁合部数が表示される。ユーザは、テンキー４４をタッチすることによって地区名欄３２に表示された地区の丁合部数を入力することができる。ユーザによって入力された丁合部数は、地区部数欄３４に表示される。入力した丁合部数を訂正したい場合は、クリアボタン４６をタッチすることにより、ユーザは地区名欄３２に表示された地区の丁合部数をクリアする、すなわち丁合部数をゼロに設定することができる。カウンター３６には、地区部数欄３４に表示された丁合部数のうち、丁合が完了した部数が表示される。トータルカウンター３８には、他の地区を含め、丁合が完了した総合部数が表示される。
【００３８】
このように、メイン画面１００は一地区の設定内容を表示することができるが、ユーザは複数の地区の設定内容を容易に確認することができない。このため、本実施形態では、メイン画面１００とは別に地区部数設定画面が設けられている。操作パネル１３の画面上方にはメイン画面表示タグ１１０および地区画面表示タグ１１２が表示されている。ユーザは、地区画面表示タグ１１２をタッチすることにより地区部数設定画面を表示させることができ、メイン画面表示タグ１１０をタッチすることによりメイン画面１００を表示させることができる。
【００３９】
図５は、第１の実施形態の操作パネル１３に表示される地区部数設定画面１０２を示す図である。地区部数設定画面１０２は、地区部数設定欄５０、テンキー５８、アルファベットキー６０、追加ボタン６２、クリアボタン６４、セットボタン６６、次ページボタン７０、および前ページボタン７２などを有する。
【００４０】
地区部数設定欄５０は、地区名欄５２、部数欄５４、順番欄５６を有する。地区名欄５２は、第１地区名欄５２Ａ及至第１６地区名欄５２Ｑの１６の欄により構成される。部数欄５４は、第１部数欄５４Ａ及至第１６部数欄５４Ｑの１６の欄により構成される。順番欄５６は、第１順番欄５６Ａ及至第１６順番欄５６Ｑの１６の欄により構成される。
【００４１】
地区名欄５２には、地区名が表示される。部数欄５４には、丁合部数が表示される。順番欄５６には、丁合する順番として指定された順番が表示される。本実施形態においては、区分として地区が用いられる。また区分名として地区名が用いられる。１６の地区名欄５２のうち、８つの地区名欄５２が上下方向に均等間隔に配置される。この８つの地区名欄５２の各々の欄の右側に隣り合うように８つの部数欄５４が同じく上下方向に均等間隔に配置される。この８つの部数欄５４の各々の欄の右側に隣り合うように８つの順番欄５６が同じく上下方向に均等間隔に配置される。このようにして８行に形成された地区名欄５２、部数欄５４、順番欄５６が、地区部数設定画面１０２の左側と右側にそれぞれ１つずつ設けられている。
【００４２】
左右方向に隣り合うように配置された地区名欄５２、部数欄５４、順番欄５６の各々の欄には、同一の地区の地区名、丁合部数、および指定された順番が表示される。たとえば、第１地区名欄５２Ａに表示された地区名の地区の丁合部数が第１部数欄５４Ａに表示される。また第１地区名欄５２Ａに表示された地区名の地区の指定された順番が第１順番欄５６Ａに表示される。第１地区名欄５２Ａ、第１部数欄５４Ａ、および第１順番欄５６Ａは、第１地区名欄５２Ａが左側、第１部数欄５４Ａが中央、第１順番欄５６Ａが右側に、横方向に並列して配置される。したがって、地区部数設定画面１０２に、１６の地区の地区名、丁合部数および指定された順番を表示することができる。これによって、ユーザは複数の区分の区分名、丁合部数、および指定された順番を容易に確認することができる。
【００４３】
丁合装置１の電源がオンにされたあとの第１地区名欄５２Ａから第１６地区名欄５２Ｑの各々のデフォルト値は、第１地区名欄５２Ａが「１」、第２地区名欄５２Ｂが「２」というように、１から１６までの連続した数字が昇順にそれぞれ設定されている。
【００４４】
丁合装置１の電源がオンにされたあとの部数欄５４の各々のデフォルト値はゼロに設定されている。ユーザによって部数欄５４のいずれかがタッチされることにより、タッチされた部数欄５４が入力可能状態となる。さらにユーザによってテンキー５８がタッチされると、タッチされた数字が入力可能状態となった部数欄５４に表示される。ここでユーザによってセットボタン６６がタッチされると、電子制御ユニット１５０は、部数欄５４に入力された数字をその地区での丁合部数として確定する。このように、ユーザは、丁合部数を設定したい地区の部数欄５４をタッチしてテンキー５８を使って丁合部数を入力することにより、複数の地区にユーザが希望する丁合部数を設定することができる。したがって、部数欄５４、テンキー５８などは、複数の区分の各々の丁合部数のユーザによる入力を受け付ける部数入力手段として機能する。
【００４５】
入力可能状態となった部数欄５４に丁合部数が入力された状態で、ユーザによりクリアボタン６４が長押しされると、電子制御ユニット１５０は、入力可能状態となっている部数欄５４に入力された丁合部数をクリアしてゼロに設定する。なお、丁合装置１の電源がオンにされたあとの順番欄５６は空欄となっている。
【００４６】
ユーザにより次ページボタン７０がタッチされると、電子制御ユニット１５０は、地区部数設定画面１０２の次ページを操作パネル１３に表示する。ユーザにより前ページボタン７２がタッチされると、電子制御ユニット１５０は、地区部数設定画面１０２の前ページを操作パネル１３に表示する。本図は地区部数設定画面１０２の１ページ目を示す。地区部数設定画面１０２の２ページ目には、１７から３２までの連続した数字が順番に第１地区名欄５２Ａから第１６地区名欄５２Ｑまでそれぞれ設定されている。丁合装置１の電源がオンにされたあとでは、地区名欄５２にはデフォルトで１から９９までの連続した数字が数ページにまたがって順番に設定されており、１６の地区ごとに地区部数設定画面１０２のページで区切られている。
【００４７】
図６は、第１の実施形態の地区部数設定画面１０２において、丁合部数が入力された状態を示す図である。たとえば、ユーザが地区名「１」の地区の丁合部数として「１００」を入力する場合、ユーザは、地区名「１」の地区に対応する部数欄５４としての第１部数欄５４Ａをタッチして、第１部数欄５４Ａを入力可能状態とする。ユーザは、テンキー５８の「１」キーを１回、「０」キーを２回タッチすることにより、「１００」を入力する。これによって、第１部数欄５４Ａに「１００」の数字が表示される。ユーザは、セットボタン６６をタッチすることにより、地区名「１」の丁合部数を「１００」に確定することができる。同様に、第２部数欄５４Ｂに「１２０」、第３部数欄５４Ｃに「１５０」、第４部数欄５４Ｄに「８０」、第５部数欄５４Ｅに「１１０」を入力して、それぞれ入力後にセットボタン６６をタッチすることにより、ユーザは本図に示すように各地区の丁合部数を設定することができる。
【００４８】
図７及至図９は、第１の実施形態の地区部数設定画面１０２において、地区を追加する手順を示す図である。ユーザにより追加ボタン６２がタッチされると、電子制御ユニット１５０は、図７に示すように、地区部数設定欄５０の下に追加地区名欄６８を表示する。
【００４９】
ユーザによりテンキー５８のいずれかのキーがタッチされると、追加地区名欄６８にタッチされた数字が表示される。またアルファベットキー６０の「Ａ」、「Ｂ」、「Ｃ」のいずれかのキーがタッチされると、追加地区名欄６８にタッチされたアルファベットが数字の後に表示される。１から９９までのいずれかの数字と、「Ａ」、「Ｂ」、「Ｃ」のいずれかのアルファベットが入力され、セットボタン６６がユーザによりタッチされると、数字の後にアルファベットが組み合わされた地区名の地区が追加される。追加された地区の地区名は、追加された地区名に含まれる数字が表示された地区名欄５２の下に表示される。追加された地区の地区名とともに、追加された地区に対応する部数欄５４および順番欄５６も追加され、追加された地区名の横に並列して表示される。したがって、追加ボタン６２、テンキー５８、アルファベットキー６０、セットボタン６６などは、ユーザによる区分を追加する入力を受け付ける区分入力手段として機能する。
【００５０】
たとえば、ユーザが追加ボタン６２をタッチして追加地区名欄６８を表示し、テンキー５８の「２」のキーとアルファベットキー６０の「Ａ」のキーをタッチすると、追加地区名欄６８に「２Ａ」と表示される。ここでセットボタン６６がユーザによりタッチされると、地区名が「２Ａ」の地区が追加される。
【００５１】
追加された地区の地区名は、図８に示すように、地区名が「２」と表示された第２地区名欄５２Ｂの下の地区名欄５２である第３地区名欄５２Ｃに表示される。地区名が「２Ａ」の追加された地区に対応する部数欄５４および順番欄５６が追加され、第３部数欄５４Ｃに追加された地区に対応する丁合部数が表示され、第３順番欄５６Ｃに追加された地区に対応する順番が表示される。ユーザは、追加された地区に対応する部数欄５４としての第３部数欄５４Ｃをタッチ後、テンキー５８のいずれかのキーをタッチして丁合部数を入力し、セットボタン６６をタッチすることにより、追加された地区の丁合部数を入力することができる。たとえば、ユーザは、第３部数欄５４Ｃをタッチしてからテンキー５８により「６０」を入力してセットボタン６６をタッチすることにより、図８に示すように、地区名が「２Ａ」である追加された地区の丁合部数「６０」を入力することができる。
【００５２】
地区が一つ追加されると、地区名を昇順にした場合に追加された地区より順番が後になる地区は、地区名、丁合部数、および指定された順番が、地区が追加される前に表示されていた欄よりも一つ下の欄に順次移動して表示される。たとえば図８のように、地区名「２Ａ」の地区が追加された場合、地区名「３」の地区の地区名、丁合部数、および指定された順番は、地区が追加される前に表示されていた第３地区名欄５２Ｃ、第３部数欄５４Ｃ、第３順番欄５６Ｃよりも一つ下の欄である第４地区名欄５２Ｄ、第４部数欄５４Ｄ、第４順番欄５６Ｄに移動して表示される。地区名「４」以降の地区も同様である。地区名「１６」の地区の地区名、丁合部数、および指定された順番は、同じページ内に一つ下の欄がないため、地区が追加される前に表示されていた第１６地区名欄５２Ｑ、第１６部数欄５４Ｑ、第１６順番欄５６Ｑから、次のページの最初の欄である第１地区名欄５２Ａ、第１部数欄５４Ａ、第１順番欄５６Ａに移動して表示される。
【００５３】
このように、ユーザは、１から９９までの数字と、「Ａ」、「Ｂ」、「Ｃ」のアルファベットの組合せの数だけ地区を追加することができる。同じ数字に異なるアルファベットが組み合わされた地区名の地区が追加された場合、電子制御ユニット１５０は、上の欄からアルファベット順に追加された地区の地区名を表示する。たとえば図９に示すように、地区名が「２Ａ」、「２Ｂ」、「２Ｃ」の３つの地区が追加された場合、電子制御ユニット１５０は、同じ数字である「２」の地区名が表示された第２地区名欄５２Ｂの一つ下の欄である第３地区名欄５２Ｃに「２Ａ」、その一つ下の欄である第４地区名欄５２Ｄに「２Ｂ」、その一つ下の欄である第５地区名欄５２Ｅに「２Ｃ」を表示する。同様に、地区名が「３Ａ」の地区が追加された場合、電子制御ユニット１５０は、同じ数字である「３」の地区名が表示された欄の一つ下の欄に「３Ａ」を表示する。また、地区名が「５Ａ」、「５Ｂ」の地区が追加された場合、電子制御ユニット１５０は、同じ数字である「５」の地区名が表示された欄の一つ下の欄に「５Ａ」を表示し、その一つ下の欄に「５Ｂ」を表示する。
【００５４】
図１０は、第１の実施形態において、丁合開始後、その丁合部数の丁合が完了する前の地区部数設定画面１０２を示す図である。
【００５５】
地区部数設定画面１０２が操作パネル１３に表示されている状態でユーザによりスタートボタン１４が押されると、電子制御ユニット１５０は、丁合を開始するとともに操作パネル１３にメイン画面１００を表示する。ユーザは、丁合中であっても、地区画面表示タグ１１２をタッチすることにより地区部数設定画面１０２を再度表示することができる。本図は、丁合開始後、ユーザにより地区画面表示タグ１１２がタッチされ、地区部数設定画面１０２が再度表示された状態を示す。
【００５６】
電子制御ユニット１５０は、丁合が完了した地区と丁合が完了していない地区とを識別可能に表示する。具体的には、電子制御ユニット１５０は、丁合が完了した地区の地区名欄５２、部数欄５４、および順番欄５６をグレイアウトして表示する。たとえば本図に示すように、地区名が「１」、「２」、「２Ａ」、「２Ｂ」 の地区の丁合が完了している場合、電子制御ユニット１５０は、これらの地区名の地区の地区名欄５２、部数欄５４、および順番欄５６である第１地区名欄５２Ａ及至第４地区名欄５２Ｄ、第１部数欄５４Ａ及至第４部数欄５４Ｄ、第１順番欄５６Ａ及至第４順番欄５６Ｄをグレイアウトする。これによって、複数の地区のうち、どの地区が丁合が完了したかをユーザに報知することができる。なお、グレイアウトする代わりに丁合が完了した地区の地区名欄５２、部数欄５４、および順番欄５６の色や表示された数字やアルファベットの色を変更してもよいことは勿論である。
【００５７】
また、電子制御ユニット１５０は、丁合の開始後且つ丁合部数の丁合の完了前の地区とそれ以外の地区とを識別可能に表示する。具体的には、電子制御ユニット１５０は、ユーザによりスタートボタン１４が押されて丁合を開始した地区の地区名欄５２、部数欄５４、および順番欄５６の色を、他の地区と異なる色で表示する。電子制御ユニット１５０は、丁合を開始した地区の丁合部数の丁合が完了するまで、地区名欄５２、部数欄５４、および順番欄５６の色を、他の地区と異なる色で表示した状態を維持する。丁合開始後、その地区の丁合部数の丁合が完了する前にユーザによりストップボタン１５が押されて丁合が停止された場合も、丁合を開始した地区の丁合部数が完了していないことから、電子制御ユニット１５０は、地区名欄５２、部数欄５４、および順番欄５６の色を、他の地区と異なる色で表示した状態を維持する。たとえば、本図に示すように地区名が「２Ｃ」の地区の丁合を開始した場合、電子制御ユニット１５０は、この地区の丁合部数である４０部の丁合が完了するまで、この地区の地区名欄５２、部数欄５４、および順番欄５６である第５地区名欄５２Ｅ、第５部数欄５４Ｅ、第５順番欄５６Ｅの色を他の地区と異なる色で表示する。これによって、表示された複数の地区のうち、どの地区の丁合をしているかをユーザに報知することができる。
【００５８】
図１１および図１２は、第１の実施形態の地区部数設定画面１０２において、丁合する順番が指定された状態を示す図である。
【００５９】
ユーザにより順番欄５６のいずれかの欄がタッチされると、電子制御ユニット１５０は、タッチされた順番欄５６を入力可能状態にする。さらにユーザによりテンキー５８がタッチされると、電子制御ユニット１５０は、タッチされた数字が入力可能状態となった順番欄５６に表示し、入力された順番を丁合する順番として設定する。このように、ユーザは順番欄５６およびテンキー５８などにより丁合する順番を指定することができる。したがって、順番欄５６およびテンキー５８などは、複数の区分において丁合する順番のユーザによる指定を受け付ける順番指定手段として機能する。
【００６０】
なお、電子制御ユニット１５０は、丁合部数が入力されていない、すなわち丁合部数がゼロの地区の丁合する順番の指定を禁止する。具体的には、たとえば、丁合部数がゼロの地区の順番欄５６がユーザによってタッチされても、電子制御ユニット１５０は、タッチされた順番欄５６を入力可能状態としない。したがって、ユーザは順番欄５６をタッチ後、テンキー５８をタッチしても、丁合部数が入力されていない地区の順番欄５６には丁合する順番を入力することができない。これによって、丁合部数が入力されていない地区の丁合する順番が指定されることが抑制される。
【００６１】
たとえば、地区名が「３」の地区の丁合を最初にしたい場合、ユーザは、地区名「３」の地区の順番欄５６である第６順番欄５６Ｆをタッチして入力可能状態とする。さらにテンキー５８の「１」のキーをタッチすると、第６順番欄５６Ｆに「１」が表示され、地区名「３」の地区の丁合する順番が１番目に指定される。同様に、ユーザは、第８順番欄５６Ｈに「２」、第２順番欄５６Ｂに「３」、第３順番欄５６Ｃに「４」、第４順番欄５６Ｄに「５」、第５順番欄５６Ｅに「６」、第１順番欄５６Ａに「７」を入力すると、地区名が「３」、「４」、「２」、「２Ａ」、「２Ｂ」、「２Ｃ」、「１」の地区の順に丁合するよう、丁合する順番を指定することができる。
【００６２】
このように、ユーザは丁合する地区の順番を指定することができるので、たとえば、丁合部数を入力した後でも丁合する順番を変更するために丁合部数を入力し直す必要がなくなるなど、ユーザの丁合部数を設定する労力を軽減することができる。なお、順番欄５６のいずれかに、他の順番欄５６にすでに入力された数字が入力されると、電子制御ユニット１５０は、「その順番は既に指定されています。」などのメッセージを操作パネル１３に表示し、入力された数字をクリアする。
【００６３】
ユーザにより順番ソートボタン５６Ｓがタッチされると、電子制御ユニット１５０は、順番が指定された地区の地区名欄５２、部数欄５４、および順番欄５６を、指定された順番にしたがって地区部数設定画面１０２に表示する。したがって、順番ソートボタン５６Ｓは、複数の地区の各々の地区名、丁合部数、および指定された順番を、指定された順番にしたがって並べ替えて表示するユーザによる指示を受け付ける順番順表示指示手段として機能する。
【００６４】
具体的には、電子制御ユニット１５０は、順番ソートボタン５６Ｓがユーザによりタッチされた場合、順番が指定された地区名欄５２、部数欄５４、および順番欄５６を、順番ソートボタン５６Ｓがタッチされる以前の位置から抜き出して、順番が１の地区から昇順に第１地区名欄５２Ａ、第１部数欄５４Ａ、および第１順番欄５６Ａから下方に並べ替える。たとえば、図１１の状態から順番ソートボタン５６Ｓがユーザによりタッチされることによって、図１２に示すように、地区名が「３」、「４」、「２」、「２Ａ」、「２Ｂ」、「２Ｃ」、「１」の地区の順に、順番が１の地区から昇順に第１地区名欄５２Ａ、第１部数欄５４Ａ、第１順番欄５６Ａから下方に並べ替える。これによって、ユーザは丁合する順番を容易に把握することができる。なお、順番が指定されていない地区は、順番が指定された地区のうち最後の順番の地区の下の地区名欄５２、部数欄５４、および順番欄５６から下方に表示される。
【００６５】
順番ソートボタン５６Ｓがユーザにより再びタッチされると、電子制御ユニット１５０は、並び替えて表示された地区名欄５２、部数欄５４、および順番欄５６を、並び替える前の順番に戻すように並べ替える。これにより、ユーザは順番ソートボタン５６Ｓをタッチする前の状態に容易に戻すことができる。
【００６６】
図１２の状態から地区ソートボタン５２Ｓがユーザによりタッチされると、電子制御ユニット１５０は、すべての地区の地区名欄５２、部数欄５４、順番欄５６を、地区名にしたがって地区部数設定画面１０２に表示する。したがって、地区ソートボタン５２Ｓは、複数の地区の各々の区分名、丁合部数および指定された順番を、区分名にしたがって並べ替えて表示するユーザによる指示を受け付ける区分名順表示指示手段として機能する。
【００６７】
具体的には、電子制御ユニット１５０は、地区ソートボタン５２Ｓがユーザによりタッチされた場合、地区名が表示されているすべての地区の地区名欄５２、部数欄５４、および順番欄５６を、地区名に含まれる数字の昇順に、第１地区名欄５２Ａ、第１部数欄５４Ａ、および第１順番欄５６Ａから下方に並べ替えて表示する。複数の地区の地区名に同じ数字が含まれる場合、電子制御ユニット１５０は、地区名に同じ数字が含まれる地区のうちアルファベットを含まない地区名の地区の地区名欄５２、部数欄５４、および順番欄５６を一番上に表示し、アルファベットを含む地区名の地区の地区名欄５２、部数欄５４、および順番欄５６はその下からアルファベットの昇順に下方に表示する。たとえば、図１２の状態から地区ソートボタン５２Ｓがユーザによりタッチされることによって、図１１に示すように、地区名が昇順に表示されるように、複数の地区の各々の地区名欄５２、部数欄５４、および順番欄５６が並び替えて表示される。
【００６８】
地区ソートボタン５２Ｓがユーザにより再びタッチされると、電子制御ユニット１５０は、並べ替えて表示された地区名欄５２、部数欄５４、および順番欄５６を、並べ替える前の順番に戻すように並べ替える。これにより、ユーザは地区ソートボタン５２Ｓをタッチする前の状態に容易に戻すことができる。
【００６９】
図１３は、第１の実施形態の地区部数設定画面１０２において、地区名が入力された状態を示す図である。
【００７０】
ユーザは、地区名欄５２の各々に区分名を入力することができる。地区名欄５２のいずれかがユーザにタッチされると、電子制御ユニット１５０は、ユーザによりタッチされた地区名欄５２を入力可能状態とする。ここでテンキー５８またはアルファベットキー６０がタッチされると、電子制御ユニット１５０は、タッチされた数字およびアルファベットを入力可能状態となっている地区名欄５２に表示する。セットボタン６６がユーザにタッチされると、電子制御ユニット１５０は、入力された数字およびアルファベットを地区名として設定する。したがって、地区名欄５２、テンキー５８、アルファベットキー６０、セットボタン６６は、ユーザによる区分名の入力を受け付ける区分名入力手段として機能する。
【００７１】
たとえば、本図に示すように、ユーザは「５００」や「４０００」などの地区名を入力することができる。これによってユーザは、たとえば実際の地区の番地と同一または類似の数字およびアルファベットを地区名欄５２に入力することができ、わかりやすい地区名に変更することが可能となる。電子制御ユニット１５０は、ユーザにより地区名が入力された時には地区名順に並べ替えて表示しない。地区ソートボタン５２Ｓがユーザによりタッチされることにより、電子制御ユニット１５０は、地区名欄５２、部数欄５４、および順番欄５６を地区名順に並べ替えて表示する。
【００７２】
図１４は、第１の実施形態の丁合装置１の地区毎丁合処理を示すフローチャートである。本フローチャートにおける処理は、丁合装置１の電源がオンにされたとき、または入力された丁合部数のすべての丁合が完了し、再びすべての地区の丁合が未完了となったときに開始する。
【００７３】
丁合装置１の電源がオンにされたとき、またはすべての地区の丁合が未完了の場合に、ユーザは、地区部数設定画面１０２を操作パネル１３に表示させ、前述のように地区を追加する入力、丁合部数の入力、丁合する順番の指定、地区名の入力などを行うことができる（Ｓ１１）。
【００７４】
いずれかの地区の丁合が完了し、その他の地区の丁合が未完了である場合、電子制御ユニット１５０は、地区毎に丁合する地区毎丁合処理の途中であると判断し、これらの入力および指定を禁止する。具体的には、追加ボタン６２がユーザによりタッチされても追加地区名欄６８を表示せず、地区名欄５２、部数欄５４、順番欄５６がユーザによりタッチされても、タッチされた欄を入力可能状態としない。これにより、地区毎丁合処理の途中に設定が変更されることを抑制することができる。ユーザは、すべての地区の丁合が完了してから、または地区毎丁合処理の途中であっても、地区毎丁合処理を終了する入力を丁合装置１に行うことなどにより、これらの入力または指定を行うことができる。なお、地区毎丁合処理の途中であっても、丁合が開始されていない地区の丁合部数の入力や順番の指定を可能としてもよいことは勿論である。
【００７５】
地区を追加する入力、丁合部数の入力、丁合する順番の指定、地区名の入力などがユーザにより行われると、電子制御ユニット１５０は、複数の地区の地区名、丁合部数、および指定された順番をユーザの操作にしたがって表示する（Ｓ１２）。
【００７６】
ここで、ユーザによりスタートボタンが押されると（Ｓ１３）、電子制御ユニット１５０は、いずれかの地区に対して丁合する順番がユーザにより指定されているか否かを判断する（Ｓ１４）。いずれかの地区に丁合する順番が指定されている場合（Ｓ１４のＹ）、電子制御ユニット１５０は、丁合が完了していない地区であって順番が指定された地区のうち、指定された順番が最初の地区の丁合を開始する（Ｓ１５）。丁合が開始されると、電子制御ユニット１５０は、丁合中の地区の地区名欄５２、部数欄５４、および順番欄５６の色を変更して表示する（Ｓ１６）。
【００７７】
丁合を開始した地区の丁合部数の丁合が完了すると、電子制御ユニット１５０は丁合を停止する（Ｓ１７）。これにより、ユーザは、地区毎に丁合して作成された用紙束を回収することができる。なお、丁合開始後、その地区の丁合部数の丁合が完了する前にユーザによりストップボタン１５が押されて丁合が停止された場合、電子制御ユニット１５０は、丁合が停止された地区の丁合が未完了の状態を維持する。再びユーザによりスタートボタン１４が押されると、電子制御ユニット１５０は、丁合が未完了の地区の丁合を開始し、残りの丁合部数の丁合の完了後、丁合を停止する。
【００７８】
丁合部数の丁合が完了すると、電子制御ユニット１５０は、丁合部数の丁合を完了した地区の地区名欄５２、部数欄５４、および順番欄５６をグレイアウトする（Ｓ１８）。また、丁合部数の丁合が完了すると、電子制御ユニット１５０は、丁合が完了していない地区であって順番が指定された地区がないか否かを判断する（Ｓ１９）。丁合が完了していない地区であって順番が指定された地区がある場合（Ｓ１９のＮ）、電子制御ユニット１５０は、再びユーザによりスタートボタンが操作されるまで（Ｓ１３）、丁合を停止した状態を維持する。電子制御ユニット１５０は、順番が指定されたすべての地区の丁合が完了するまでこの地区毎丁合処理を繰り返す。丁合が完了していない地区であって順番が指定された地区がない場合（Ｓ１９のＹ）、順番が指定された地区はすべて丁合が完了しているので、本フローチャートにおける処理を終了する。
【００７９】
いずれの地区にも丁合する順番が指定されていない場合（Ｓ１４のＮ）、電子制御ユニット１５０は、丁合が完了していない地区であって丁合部数が入力された地区のうち、地区名を昇順にした場合の最初の順番の地区の丁合を開始する（Ｓ２０）。丁合が開始されると、電子制御ユニット１５０は、丁合中の地区の地区名欄５２、部数欄５４、および順番欄５６の色を変更して表示する（Ｓ２１）。
【００８０】
丁合を開始した地区の丁合部数の丁合が完了すると、電子制御ユニット１５０は丁合を停止する（Ｓ２２）。なお、丁合開始後、その地区の丁合部数の丁合が完了する前にユーザによりストップボタン１５が押されて丁合が停止された場合は、Ｓ１７と同様である。
【００８１】
丁合部数の丁合が完了すると、電子制御ユニット１５０は、丁合部数の丁合を完了した地区の地区名欄５２、部数欄５４、および順番欄５６をグレイアウトする（Ｓ２３）。また、丁合部数の丁合が完了すると、電子制御ユニット１５０は、丁合が完了していない地区であって丁合部数が入力された地区がないか否かを判断する（Ｓ２４）。丁合が完了していない地区であって丁合部数が入力された地区がある場合（Ｓ２４のＮ）、電子制御ユニット１５０は、再びユーザによりスタートボタンが操作されるまで（Ｓ１３）、丁合を停止した状態を維持する。電子制御ユニット１５０は、丁合部数が入力されたすべての地区の丁合が完了するまでこの地区毎丁合処理を繰り返す。丁合が完了していない地区であって丁合部数が入力された地区がない場合（Ｓ２４のＹ）、丁合部数が入力された地区はすべて丁合が完了しているので、本フローチャートにおける処理を終了する。たとえば、新聞などは配達する部数が地区毎に予め決まっている。このように地区ごとに予め丁合部数を設定し、その丁合部数の丁合が完了する毎に丁合を停止することによって、毎回丁合部数を設定するユーザの労力を軽減することができる。
【００８２】
（第２の実施形態）
図１５は、第２の実施形態の操作パネル１３に表示される地区部数設定画面１０２を示す図である。なお、第１の実施形態と同様の箇所については説明を省略する。
【００８３】
地区部数設定画面１０２において、地区名欄５２の各々の欄の左側には、それぞれ選択ボタン９０が設けられている。選択ボタン９０は、円形に形成され、丁合装置１の電源がオンにされたときは、選択ボタン９０は未選択状態となっており、選択ボタン９０は未選択状態を示す白色に表示される。
【００８４】
ユーザは、選択ボタン９０をタッチすることにより、選択ボタン９０の右側に地区名が表示される地区を選択することができる。このため、選択ボタン９０は、ユーザによる区分の選択を受け付ける区分選択手段として機能する。これにより、ユーザは、地区毎丁合処理を実行する地区を選択することができる。白色の選択ボタン９０のいずれかがユーザによりタッチされると、電子制御ユニット１５０は、選択ボタン９０を選択状態を示す黒色に表示する。
【００８５】
また、ユーザは、選択ボタン９０を再度タッチすることにより、選択ボタン９０の右側に地区名が表示される地区の選択を解除することができる。これによりユーザは、地区毎丁合処理を実行する地区の選択を解除することができる。黒色の選択ボタン９０のいずれかがユーザによりタッチされると、電子制御ユニット１５０は、選択ボタン９０を未選択状態を示す白色に表示する。
【００８６】
本実施形態においては、選択された地区の丁合部数の丁合が完了すると、丁合が未完了の地区と完了した地区とを識別可能とするため、電子制御ユニット１５０は、選択状態を示す黒色が表示された選択ボタン９０をグレイアウトする。なお、選択ボタン９０をグレイアウトするかわりに、選択ボタン９０の色を変更してもよく、この場合、選択ボタン９０を白色に表示してもよいことは勿論である。
【００８７】
図１６は、第２の実施形態の丁合装置１の処理を示すフローチャートである。本フローチャートにおける処理は、丁合装置１の電源がオンにされたとき、または入力された丁合部数のすべての丁合が完了し、再びすべての地区の丁合が未完了となったときに開始する。なお、第１の実施形態と同様の箇所については説明を省略する。
【００８８】
丁合装置１の電源がオンにされたとき、またはすべての地区の丁合が未完了の場合に、ユーザは、地区部数設定画面１０２を操作パネル１３に表示させ、前述のように地区を追加する入力、丁合部数の入力、丁合する順番の指定、地区名の入力、地区の選択などを行うことができる（Ｓ３１）。
【００８９】
地区を追加する入力、丁合部数の入力、丁合する順番の指定、地区名の入力などがユーザにより行われると、電子制御ユニット１５０は、複数の地区の地区名、丁合部数、指定された順番、および地区の選択状態をユーザの操作にしたがって表示する（Ｓ３２）。
【００９０】
ここで、ユーザによりスタートボタンが押されると（Ｓ３３）、電子制御ユニット１５０は、いずれかの地区が選択されているか否かを判断する（Ｓ３４）。いずれの地区も選択されていない場合（Ｓ３４のＮ）、丁合する地区がないことから電子制御ユニット１５０は丁合を開始しない。なお、この場合、電子制御ユニット１５０は、「地区が選択されていません」などのメッセージを操作パネル１３に表示してもよい。
【００９１】
いずれかの地区が選択されている場合（Ｓ３４のＹ）、電子制御ユニット１５０は、いずれかの地区に対して丁合する順番がユーザにより指定されているか否かを判断する（Ｓ３５）。いずれかの地区に丁合する順番が指定されている場合（Ｓ３５のＹ）、電子制御ユニット１５０は、丁合が完了していない地区であって選択され且つ順番が指定された地区のうち、指定された順番が最初の地区の丁合を開始する（Ｓ３６）。丁合が開始されると、電子制御ユニット１５０は、丁合中の地区の地区名欄５２、部数欄５４、および順番欄５６の色を変更して表示する（Ｓ３７）。丁合を開始した地区の丁合部数の丁合が完了すると、電子制御ユニット１５０は丁合を停止する（Ｓ３８）。
【００９２】
丁合部数の丁合が完了すると、電子制御ユニット１５０は、丁合部数の丁合を完了した地区の地区名欄５２、部数欄５４、および順番欄５６をグレイアウトする（Ｓ３９）。また、丁合部数の丁合が完了すると、電子制御ユニット１５０は、丁合が完了していない地区であって選択され且つ順番が指定された地区がないか否かを判断する（Ｓ４０）。丁合が完了していない地区であって選択され且つ順番が指定された地区がある場合（Ｓ４０のＮ）、電子制御ユニット１５０は、再びユーザによりスタートボタンが操作されるまで（Ｓ３３）、丁合を停止した状態を維持する。電子制御ユニット１５０は、順番が指定されたすべての地区の丁合が完了するまでこの地区毎丁合処理を繰り返す。丁合が完了していない地区であって選択され且つ順番が指定された地区がない場合（Ｓ４０のＹ）、選択され且つ順番が指定された地区はすべて丁合が完了しているので、本フローチャートにおける処理を終了する。
【００９３】
このように、地区が選択され、且つ丁合する地区の順番が指定されている場合にユーザによってスタートボタン１４が押されると、電子制御ユニット１５０は、丁合が完了していない地区であって選択され且つ順番が指定された地区のうち、指定された順番が最初の地区の丁合を開始し、その地区に入力された丁合部数の丁合が完了すると丁合を停止する地区毎丁合処理を実行する。電子制御ユニット１５０は、丁合が完了していない地区であって選択され且つ順番が指定された地区がなくなるまでこの処理を繰り返す。
【００９４】
選択されたいずれの地区にも丁合する順番が指定されていない場合（Ｓ３５のＮ）、電子制御ユニット１５０は、丁合が完了していない地区であって選択され且つ丁合部数が入力された地区のうち、地区名を昇順にした場合の最初の順番の地区の丁合を開始する（Ｓ４１）。丁合が開始されると、電子制御ユニット１５０は、丁合中の地区の地区名欄５２、部数欄５４、および順番欄５６の色を変更して表示する（Ｓ４２）。丁合を開始した地区の丁合部数の丁合が完了すると、電子制御ユニット１５０は丁合を停止する（Ｓ４３）。
【００９５】
丁合部数の丁合が完了すると、電子制御ユニット１５０は、丁合部数の丁合を完了した地区の地区名欄５２、部数欄５４、および順番欄５６をグレイアウトする（Ｓ４４）。また、丁合部数の丁合が完了すると、電子制御ユニット１５０は、丁合が完了していない地区であって選択され且つ丁合部数が入力された地区がないか否かを判断する（Ｓ４５）。丁合が完了していない地区であって選択され且つ丁合部数が入力された地区がある場合（Ｓ４５のＮ）、電子制御ユニット１５０は、再びユーザによりスタートボタンが操作されるまで（Ｓ３３）、丁合を停止した状態を維持する。電子制御ユニット１５０は、選択され且つ丁合部数が入力されたすべての地区の丁合が完了するまでこの地区毎丁合処理を繰り返す。丁合が完了していない地区であって丁合部数が入力された地区がない場合（Ｓ４５のＹ）、丁合部数が入力された地区はすべて丁合が完了しているので、本フローチャートにおける処理を終了する。
【００９６】
（第３の実施形態）
図１７及至図１９は、第３の実施形態の操作パネル１３に表示される地区部数設定画面１０２を示す図である。なお、前述の実施形態と同様の箇所については説明を省略する。
【００９７】
本実施形態においては、図１７に示すように、地区部数設定画面１０２に設定保存ボタン７４および設定呼出ボタン７６が表示される。ユーザにより設定保存ボタン７４がタッチされると、電子制御ユニット１５０は、図１８に示すように、保存先指定ウィンドウ７８を地区部数設定画面１０２に表示する。
【００９８】
保存先指定ウィンドウ７８には、「保存先を指定してください」というメッセージと共に、第１保存ボタン８０Ａ及至第９保存ボタン８０Ｉの９つの保存ボタン８０が表示される。第１保存ボタン８０Ａ及至第９保存ボタン８０Ｉには、それぞれ「Ｍ１」、「Ｍ２」など保存先を識別するための保存先名称が表示される、保存ボタン８０のいずれかがユーザによりタッチされると、電子制御ユニット１５０は、複数の地区の地区名、丁合部数、および指定された順番を、タスク情報として記憶部１６０に格納する。この際、電子制御ユニット１５０は、ユーザにより選択された保存先を識別するための保存先識別情報とタスク情報とを対応づけて記憶部１６０に格納する。この場合、電子制御ユニット１５０は、同じ地区の地区名、丁合部数、および指定された順番をそれぞれ対応づけて記憶部１６０に格納する。
【００９９】
たとえば、図１７のように地区が追加され、丁合部数が入力され、また丁合する順番が指定されている場合、電子制御ユニット１５０は、地区名「１」と丁合部数「１００」と指定された順番「７」とを対応づける。電子制御ユニット１５０は、すべての地区について地区名、丁合部数および指定された順番を対応付け、対応付けられた複数の地区の地区名、丁合部数、および指定された順番を一つのタスク情報として記憶部１６０に格納する。このため、記憶部１６０は、複数の区分の区分名および丁合部数を含むタスク情報を複数格納するタスク記憶手段として機能する。また９つの保存ボタン８０はそれぞれ、ユーザによる保存先の指定を受け付ける保存先指定手段として機能する。タスク情報が記憶部１６０に格納されると、電子制御ユニット１５０は、呼出先指定ウィンドウ８２を閉じて、図１７に示すように呼出先指定ウィンドウ８２を非表示にする。
【０１００】
ユーザにより設定呼出ボタン７６がタッチされると、電子制御ユニット１５０は、図１９に示すように、呼出先指定ウィンドウ８２を地区部数設定画面１０２に表示する。呼出先指定ウィンドウ８２には、「呼出先を指定してください」というメッセージと共に、第１呼出ボタン８４Ａ及至第９呼出ボタン８４Ｉの９つの呼出ボタン８４が表示される。第１呼出ボタン８４Ａ及至第９呼出ボタン８４Ｉには、それぞれ「Ｍ１」、「Ｍ２」など、呼び出すタスクが保存されている保存先を識別するための保存先名称が表示される。呼出ボタン８４のいずれかがユーザによりタッチされ選択されると、電子制御ユニット１５０は、タッチされた呼出ボタン８４に対応する保存先からタスク情報を呼び出す。たとえば、「Ｍ１」と表示された第１保存ボタン８０Ａをタッチすることによって記憶部１６０に格納されたタスク情報は、同じ「Ｍ１」と表示された第１呼出ボタン８４Ａをタッチすることにより呼び出すことができる。したがって、呼出ボタン８４は、格納されたタスク情報のユーザによる選択を受け付けるタスク選択手段として機能する。
【０１０１】
電子制御ユニット１５０は、ユーザにより呼出ボタン８４がタッチされタスク情報が選択された場合、地区部数設定画面１０２の地区名欄５２、部数欄５４、および順番欄５６に、選択されたタスク情報に含まれる複数の地区の地区名、丁合部数、および指定された順番を表示する。このとき、電子制御ユニット１５０は、保存ボタン８０がタッチされ、タスク情報が記憶部１６０に格納されたときと同じ順序で、複数の地区の各々の地区名欄５２、部数欄５４、および順番欄５６を表示する。
【０１０２】
また電子制御ユニット１５０は、複数の地区の地区名、丁合部数、および指定された順番を、選択し呼び出したタスク情報に含まれる複数の地区の地区名、丁合部数、および指定された順番に設定する。したがって、ユーザにより呼出ボタン８４がタッチされタスク情報が選択された後、ユーザによりスタートボタン１４が押されると、丁合する順番が設定されている場合は、電子制御ユニット１５０は、丁合が完了していない地区であって順番が設定された地区のうち、設定された順番が最初の地区の丁合を開始し、丁合を開始した地区の丁合部数の丁合が完了すると丁合を停止する地区毎丁合処理を実行する。電子制御ユニット１５０は、丁合が完了していない地区であって順番が設定された地区がなくなるまで、この処理を繰り返す。
【０１０３】
また、丁合する順番が設定されていない場合は、電子制御ユニット１５０は、丁合が完了していない地区であって丁合部数が設定された地区のうち、地区名を昇順にした場合の設定された順番が最初の地区の丁合を開始し、丁合を開始した地区の丁合部数の丁合が完了すると丁合を停止する地区毎丁合処理を実行する。電子制御ユニット１５０は、丁合が完了していない地区であって丁合部数が設定された地区がなくなるまで、この処理を繰り返す。
【０１０４】
このように、本実施形態の丁合装置１では、地区部数設定画面１０２において設定した設定内容をタスク情報として記憶部１６０に格納し、後から格納されたタスク情報を呼び出すことができる。これにより、以前に丁合したときの設定と同様に丁合装置を設定する場合に、新たに以前に丁合したときと同様に丁合装置を設定し直す必要性を低減することができ、ユーザの労力を軽減することができる。
【０１０５】
（第４の実施形態）
図２０は、第４の実施形態の操作パネル１３に表示される地区部数設定画面１０２を示す図である。なお、前述の実施形態と同様の箇所については説明を省略する。
【０１０６】
電子制御ユニット１５０は、時間を計測するタイマを有している。丁合装置１の電源をオフにするユーザによる入力を受けた場合、電子制御ユニット１５０は、丁合装置１の電源をオフにする入力を受けたときに入力および設定されていた複数の地区の地区名、丁合部数、および指定された順番を、タスク情報として記憶部１６０に格納する。この際、電子制御ユニット１５０は、丁合装置１の電源をオフにする入力を受けたときの時間とタスク情報とを対応づけて記憶部１６０に格納する。この場合、電子制御ユニット１５０は、同じ地区の地区名、丁合部数、および指定された順番をそれぞれ対応づけて記憶部１６０に格納する。このように、丁合装置１の電源をオフにする入力を受けたときにタスク情報を格納することによって、ユーザはタスク情報を格納する操作を別途行うことなくタスク情報を格納することができ、ユーザの労力を軽減することができる。
【０１０７】
本実施形態の地区部数設定画面１０２には、設定呼出ボタン８６が表示される。設定呼出ボタン８６がユーザによりタッチされると、電子制御ユニット１５０は、呼出先指定ウィンドウ８８を地区部数設定画面１０２に表示する。
【０１０８】
呼出先指定ウィンドウ８８には、「呼出先を指定してください」というメッセージと共に、第１呼出ボタン８９Ａ及至第９呼出ボタン８９Ｉの９つの呼出ボタン８９が表示される。第１呼出ボタン８９Ａ及至第９呼出ボタン８９Ｉには、それぞれ以前に丁合装置１の電源をオフにするユーザによる入力を受けた時間が表示される。呼出ボタン８９のいずれかがユーザによりタッチされ選択されると、電子制御ユニット１５０は、タッチされた呼出ボタン８９に対応する保存先からタスク情報を呼び出す。たとえば、「１２月２５日  １７：２５」と表示された第１呼出ボタン８９Ａをタッチすることによって、１２月２５の午後５時２５分に丁合装置１の電源をオフにしたときの複数の地区の各々の地区名、丁合部数、および指定された順番を含むタスク情報を呼び出すことができる。したがって、呼出ボタン８９は、格納されたタスク情報のユーザによる選択を受け付けるタスク選択手段として機能する。
【０１０９】
ユーザにより選択されたタスク情報に含まれる複数の地区の地区名、丁合部数、および指定された順番の地区部数設定画面１０２への表示や、ユーザにより呼出ボタン８９がタッチされタスク情報が選択されたあとの地区毎丁合処理は、第３の実施形態と同様である。
【０１１０】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【０１１１】
いずれの地区にも順番が指定されていない場合、電子制御ユニット１５０は、地区名順ではなく、地区部数設定画面１０２に表示されている順番に丁合してもよい。これにより、たとえばユーザにより地区名が入力された場合においても、地区部数設定画面１０２に表示されている順番に丁合することができるため、ユーザは丁合する順番を容易に把握することができる。
【０１１２】
順番欄５６のいずれかに、他の順番欄５６に既に指定されている順番が入力された場合、電子制御ユニット１５０は、入力された順番をクリアするのではなく、入力された順番と同じ順番及び入力された順番よりも後の順番として指定されている地区の順番を、１ずつ繰り下げて再度指定してもよい。このとき、電子制御ユニット１５０は、再度指定した順番を表示するために、順番を繰り下げた地区の順番欄５６に表示された数字を１ずつ増加させてもよい。これにより、順番が設定されていない地区や、新たに追加したアルファベットつきの地区などに新たに順番を設定する際、既に順番が入力されている地区間に新たな順番として挿入することができる。たとえば、図１１に示すように、既に順番が「１」から「７」まで設定されている状態で、地区「３Ａ」を３番目に丁合した場合、電子制御ユニット１５０は、順番が既に「３」に指定されている地区「２」の順番を１つ繰り下げて、順番を「４」に指定し、地区「２」の順番欄５６に「４」を表示する。同様に、入力された順番よりも後の順番「４」、「５」、「６」、「７」が指定されている地区「２Ａ」、「２Ｂ」、「２Ｃ」、「１」においても、それぞれ順番を１つ繰り下げて順番を「５」、「６」、「７」、「８」に指定し、順番欄５６にもそれぞれ「５」、「６」、「７」、「８」と表示する。これによって、順番が指定されていなかった地区「３Ａ」に対し、既に順番が指定されていた地区の間に挿入する形で、新たな順番を付与することができる。なお、この場合、入力された数字と同じ数字が順番として入力されている地区の丁合が完了していた場合には、「その順番は既に丁合が完了しています」などのメッセージを操作パネル１３に表示して、入力された数字をクリアするようにしてもよい。
【０１１３】
第２の実施形態において、電子制御ユニット１５０は、すべての地区が選択されていない場合、指定された順番および入力された丁合部数にしたがって丁合してもよい。この場合の地区毎丁合処理は、図１４のフローチャートに示す処理と同様となる。これにより、たとえば丁合部数を入力したすべての地区の丁合を実施したい場合に、選択ボタン９０をタッチする必要がなくなるので、ユーザの設定労力を軽減することができる。
【０１１４】
丁合装置１は、キーボードなどの入力装置を有していてもよい。またはキーボードの画像を地区部数設定画面１０２に表示してもよい。キーボード、または地区部数設定画面１０２に表示されたキーボードの画像がユーザに操作されることによって、電子制御ユニット１５０は、漢字、平仮名、またはカタカナの入力を受け付けてもよい。これによって、たとえば地区名欄５２に実際の地区名を入力することなどが可能となり、操作パネル１３に表示される情報を、ユーザに理解しやすいものとすることができる。
【０１１５】
丁合装置１は、入力手段としてのコンピュータ装置に有線または無線により接続されてもよい。コンピュータ装置は、ディスプレイなどの表示装置を有していてもよく、またキーボードやマウスなどの入力装置を有していてもよい。この場合、コンピュータ装置は、丁合装置１の電子制御ユニット１５０に接続される。コンピュータ装置に含まれる記憶装置に格納された数字、文字などの情報は、コンピュータ装置に含まれるデータ送信手段によって丁合装置１の電子制御ユニット１５０に転送される。
【０１１６】
電子制御ユニット１５０は、コンピュータ装置から転送された情報を、地区名、丁合部数、または指定された順番として設定する。電子制御ユニット１５０は、設定された地区名、丁合部数、または指定された順番を操作パネル１３に表示する。これによって、たとえば表計算ソフトウェアなどで入力または算出されたデータを丁合装置１に転送することも可能となり、ユーザのデータ管理を容易にすることができる。また、顧客管理データをそのまま丁合装置１の電子制御ユニット１５０に転送することができ、顧客管理データにしたがって丁合装置１に設定するユーザの設定労力を軽減することができる。
【０１１７】
なお、コンピュータ装置から丁合装置１に転送する情報は数字やアルファベットに限られず、漢字や平仮名、カタカナなどの情報であってもよい。これによって、地区名欄５２に実際の地区名を設定することなどが可能となり、操作パネル１３に表示させる情報を、ユーザに理解しやすいものとすることができる。コンピュータ装置から転送される情報は、コンピュータ装置のキーボードやマウスなどの入力装置によってユーザにより入力された情報であってもよい。これによっても、たとえば地区名欄５２に実際の地区名を入力することなどが可能となり、操作パネル１３に表示される情報を、ユーザに理解しやすいものとすることができる。
【図面の簡単な説明】
【０１１８】
【図１】第１の実施形態に係る丁合装置の全体構成図である。
【図２】第１の実施形態に係る丁合装置の断面図である。
【図３】第１の実施形態に係る電子制御ユニットの機能ブロック図である。
【図４】第１の実施形態の操作パネルに表示されるメイン画面を示す図である。
【図５】第１の実施形態の操作パネルに表示される地区部数設定画面を示す図である。
【図６】第１の実施形態の地区部数設定画面において、丁合部数が入力された状態を示す図である。
【図７】第１の実施形態の地区部数設定画面において、地区を追加する手順を示す図である。
【図８】第１の実施形態の地区部数設定画面において、地区を追加する手順を示す図である。
【図９】第１の実施形態の地区部数設定画面において、地区を追加する手順を示す図である。
【図１０】第１の実施形態において、丁合開始後、その丁合部数の丁合が完了する前の地区部数設定画面を示す図である。
【図１１】第１の実施形態の地区部数設定画面において、丁合する順番が指定された状態を示す図である。
【図１２】第１の実施形態の地区部数設定画面において、丁合する順番が指定された状態を示す図である。
【図１３】第１の実施形態の地区部数設定画面において、地区名が入力された状態を示す図である。
【図１４】第１の実施形態の丁合装置の地区毎丁合処理を示すフローチャートである。
【図１５】第２の実施形態の操作パネルに表示される地区部数設定画面を示す図である。
【図１６】第２の実施形態の丁合装置の処理を示すフローチャートである。
【図１７】第３の実施形態の操作パネルに表示される地区部数設定画面を示す図である。
【図１８】第３の実施形態の操作パネルに表示される地区部数設定画面を示す図である。
【図１９】第３の実施形態の操作パネルに表示される地区部数設定画面を示す図である。
【図２０】第４の実施形態の操作パネルに表示される地区部数設定画面を示す図である。
【符号の説明】
【０１１９】
１  丁合装置、  １３  操作パネル、  １４  スタートボタン、  １６  給紙トレイ、  ５０  地区部数設定欄、  ５２  地区名欄、  ５２Ｓ  地区ソートボタン、  ５４  部数欄、  ５６  順番欄、  ５６Ｓ  順番ソートボタン、  ６２  追加ボタン、  １０２  地区部数設定画面、  １５０  電子制御ユニット、  １６０  記憶部。
【図１】
2007070087.tif 000003
【図２】
2007070087.tif 000004
【図３】
2007070087.tif 000005
【図４】
2007070087.tif 000006
【図５】
2007070087.tif 000007
【図６】
2007070087.tif 000008
【図７】
2007070087.tif 000009
【図８】
2007070087.tif 000010
【図９】
2007070087.tif 000011
【図１０】
2007070087.tif 000012
【図１１】
2007070087.tif 000013
【図１２】
2007070087.tif 000014
【図１３】
2007070087.tif 000015
【図１４】
2007070087.tif 000016
【図１５】
2007070087.tif 000017
【図１６】
2007070087.tif 000018
【図１７】
2007070087.tif 000019
【図１８】
2007070087.tif 000020
【図１９】
2007070087.tif 000021
【図２０】
2007070087.tif 000022